(57)【要約】【課題】磁気インク文字データ読み取り機構を備えた画像読み取り装置において、読み取りの対象とする原稿に記載された磁気インクによる文字列を効率的に読み取る機構を提供し、あわせて前記の磁気インク文字データ読み取り機構を備えた画像読み取り装置の制御方法を提供する【解決手段】原稿搬送型の画像読み取り装置において、原稿の光学的な画像読み取りにかかる読み取り搬送速度と、磁気インク文字データを磁気的に読み取る読み取り搬送速度とを独立して設定して個別に搬送する。さらに当初に原稿の光学的に画像を読み取って磁気インク文字列を配する位置を検出し、前記の磁気インク文字列位置に磁気インク文字データ読み取り位置を設定する。またフラットベッド型の画像読み取り装置において、画像の光学的読み取り機構とともに磁気的な読み取り機構を備え、光学的に読み取った画像データより磁気インク文字列の所在を検出して磁気的な読み取りを行なう【選択図】　　　　　　図１
2004110612.tif 000002
【特許請求の範囲】
【請求項１】
原稿搬送型画像読み取り装置であって、磁気インク文字データ読み取り機構を備えた画像読み取り装置において、
供給された原稿を光学的に読み取って磁気インクによる文字列を検出して前記の磁気インクによる文字列が当該原稿の搬送方向に沿って配列していることを確認する手段と、
前記の原稿の搬送方向に沿って配列している磁気インクによる文字列を、磁気インク文字データ読み取り機構が原稿の搬送方向に沿って磁気的に読み取るべくその磁気読み取り部を前記の磁気インクによる文字列の所在する位置に設定させる手段とを備えることを特徴とする、
磁気インク文字データ読み取り機構を備えた画像読み取り装置。
【請求項２】
原稿搬送型画像読み取り装置であって、磁気インク文字データ読み取り機構を備えた画像読み取り装置の制御方法において、
供給された原稿を順方向に搬送して、前記の原稿を光学的に画像読み取りを行なうとともに磁気インクによる文字列を検出して前記の文字列が当該原稿の搬送方向に沿って配列していることを確認し、
前記の検出された磁気インクによる文字列の所在する位置に磁気インク文字データ読み取り機構の磁気読み取り部を配し、
搬送をいったん停止させた前記の原稿を逆方向に搬送させて再度停止し、
前記の原稿を磁気インク文字データの磁気的読み取りに対応した搬送速度をもって順方向に搬送して、当該磁気インク文字データ読み取り機構が前記の磁気インクによる文字列を磁気的に読み取ることを特徴とする、
磁気インク文字データ読み取り機構を備えた画像読み取り装置の制御方法。
【請求項３】
原稿搬送型画像読み取り装置であって、磁気インク文字データ読み取り機構を備えた画像読み取り装置の制御方法において、
供給された原稿を順方向に搬送して、前記の原稿を光学的に画像読み取りを行なうとともに磁気インクによる文字列を検出して前記の文字列が当該原稿の搬送方向に沿って配列していることを確認し、
前記の検出された磁気インクによる文字列の所在する位置に磁気インク文字データ読み取り機構の磁気読み取り部を配し、
搬送をいったん停止させた前記の原稿を磁気インク文字データの磁気的読み取りに対応した搬送速度をもって逆方向に搬送して、当該磁気インク文字データ読み取り機構が前記の磁気インクによる文字列を磁気的に読み取ることを特徴とする、
磁気インク文字データ読み取り機構を備えた画像読み取り装置の制御方法。
【請求項４】
原稿搬送型画像読み取り装置であって、磁気インク文字データ読み取り機構を備えた画像読み取り装置において、
供給された原稿を光学的に読み取って磁気インクによる文字列を検出して前記の文字列が当該原稿の搬送方向に直交して配列していることを確認する手段と、
前記の原稿の搬送方向に直交して配列している磁気インクによる文字列を、磁気インク文字データ読み取り機構が原稿供給時の搬送方向に直交する方向に沿って磁気的に読み取る手段とを備えることを特徴とする、
磁気インク文字データ読み取り機構を備えた画像読み取り装置。
【請求項５】
前記の原稿搬送型画像読み取り装置において、
前記の磁気インク文字データ読み取り機構は、読み取りの対象とする原稿を原稿供給時の搬送方向に直交する方向に搬送して磁気読み取りに供するトラバースローラを備えることを特徴とする、
請求項４に記載の、磁気インク文字データ読み取り機構を備えた画像読み取り装置。
【請求項６】
前記の原稿搬送型画像読み取り装置において、
前記の磁気インク文字データ読み取り機構は、当該磁気インク文字データ読み取り機構を原稿供給時の搬送方向に直交する方向に移動せしめる手段を備えることを特徴とする、
請求項４に記載の、磁気インク文字データ読み取り機構を備えた画像読み取り装置。
【請求項７】
原稿搬送型画像読み取り装置であって、磁気インク文字データ読み取り機構を備えた画像読み取り装置の制御方法において、
供給された原稿を順方向に搬送して、前記の原稿を光学的に画像読み取りを行なうとともに磁気インクによる文字列を検出して前記の文字列が当該原稿の搬送方向に直交して配列していることを確認し、
搬送をいったん停止させた前記の原稿を磁気インク文字データの磁気的読み取りに対応した搬送速度をもって原稿供給時の搬送方向に直交する方向に搬送して、当該磁気インク文字データ読み取り機構が磁気的に前記の磁気インクによる文字列を読み取ることを特徴とする、
磁気インク文字データ読み取り機構を備えた画像読み取り装置の制御方法。
【請求項８】
原稿搬送型画像読み取り装置であって、磁気インク文字データ読み取り機構を備えた画像読み取り装置の制御方法において、
供給された原稿を順方向に搬送して、前記の原稿を光学的に画像読み取りを行なうとともに磁気インクによる文字列を検出して前記の文字列が当該原稿の搬送方向に直交して配列していることを確認し、
いったん停止した前記の原稿に対し、磁気インク文字データ読み取り機構を磁気インク文字データの磁気的読み取りに対応した移動速度をもって原稿供給時の搬送方向に直交する方向に移動させ、当該磁気インク文字データ読み取り機構が前記の磁気インクによる文字列を磁気的に読み取ることを特徴とする、
磁気インク文字データ読み取り機構を備えた画像読み取り装置の制御方法。
【請求項９】
フラットベッド型画像読み取り装置であって、磁気インク文字データ読み取り機構を備えた画像読み取り装置において、
原稿を光学的に読み取る画像読み取り機構により、載置された原稿の読み取り面を光学的に読み取って磁気インクによる文字列の所在およびその配列の方向を検出する手段を備え、
磁気インク文字データ読み取り機構が、その読み取り部を載置された原稿の読み取り面に対向して平行な面上を直交する２方向に沿って移動させる手段を備えることを特徴とする、
磁気インク文字データ読み取り機構を備えた画像読み取り装置。
【請求項１０】
前記の画像読み取り装置において、
前記の磁気インク文字データ読み取り機構は、その磁気読み取り部の読み取り方向を変更させる手段を備えることを特徴とする、
請求項９に記載の、磁気インク文字データ読み取り機構を備えた画像読み取り装置。
【請求項１１】
フラットベッド型画像読み取り装置であって、磁気インク文字データ読み取り機構を備えた画像読み取り装置の制御方法において、
原稿を光学的に読み取る画像読み取り機構が載置された原稿の読み取り面を光学的に読み取って磁気インクによる文字列の所在およびその配列の方向を検出し、
磁気インク文字データ読み取り機構の磁気読み取り部はその読み取り方向を前記の原稿の磁気インクによる文字列の配列の方向に合わせて設定し、次いで原稿の読み取り面に対向して平行な面上を直交する２方向に沿って移動して、前記の磁気インクによる文字列を磁気的に読み取ることを特徴とする、
磁気インク文字データ読み取り機構を備えた画像読み取り装置の制御方法。
【発明の詳細な説明】
【０００１】
【発明の属する技術分野】
この発明は、磁気インク文字データ読み取り機構を備えた画像読み取り装置において、読み取りの対象とする原稿に記載された磁気インクによる文字列を効率的に読み取る機構に関するものであり、あわせて前記の磁気インク文字データ読み取り機構を備えた画像読み取り装置の制御方法に関するものである。
【０００２】
【従来の技術】
従来より、例えば証券あるいは手形の処理業務におけるごとく、画像読み取りにかかる手段と磁気インク文字データ読み取りにかかる手段とを同一の装置内に並存させるという技術思想は、公知のものである（例えば、特許文献１および特許文献２を参照）。
【０００３】
【特許文献１】
特開昭５６−０８２９８４号公報
【特許文献２】
特開平９−２８２３８７号公報
【０００４】
ここで、この発明にかかる以下に示す用語のここで適用する定義とその技術的な背景とを述べて、その内包する概念を明確にする。
【０００５】
順方向、逆方向およびトラバース方向は、それぞれに物体を移動させる方向を規定する概念として定義する。
【０００６】
順方向は、ここでは原稿搬送型の画像読み取り装置において、当該画像読み取り装置に供給された原稿が画像読み取りラインを通過して排出される搬送方向に沿った方向を順方向と定義し、前記の順方向に対して反対の方向を逆方向と定義する。またトラバース方向は、前記の順方向あるいは逆方向に直交する方向をトラバース方向と定義する。
【０００７】
またフラットベッド型の画像読み取り装置において、画像読み取り部が当初の読み取り開始位置より画像読み取りに即して移動する移動方向を、ここでは順方向と定義する。
【０００８】
したがって前記のフラットベッド型の画像読み取り装置における逆方向は、前記の順方向に対する逆の方向を示し、またトラバース方向は、前記の順方向あるいは逆方向に直交する方向をトラバース方向と定義する。
【０００９】
磁気インク文字データ読み取り機構は、媒体上で磁気インクにより記載されたデータを磁気的に読み取る機構である。
【００１０】
小切手、あるいは手形等には、磁気インクによる文字データを印字して目視により読み取りと磁気読み取りに供している。
【００１１】
前記の磁気インクによる文字データは、磁性体を含有したインクでもってあらかじめ規定する特定の書体による文字で構成させた文字列による。
【００１２】
当該磁気インクによる文字データに用いる特定の書体による文字は、目視により読み取りに対応すると同時に、前記の磁気インクに対応する読み取り機構が前記の文字に対応した読み取り出力値を呈示することで磁気的読み取りに対応するものである。
【００１３】
すなわち前記の磁気インクによる文字データを読み取る磁気インク文字データ読み取りヘッドは、読み取りの対象とする文字パターンを構成するインクに含有される磁性体を一定の方向に磁化させる磁化ヘッドと、前記の磁化された磁性体が通過する際の磁界の変動を電磁的に読み取る磁界読み取りヘッドとにより構成される。
【００１４】
前記の磁気インク文字データは磁気インクに含有される磁性体により構成され、読み取り直前に磁化されるので、データ記録密度を高く設定することは困難であるが、記録後の媒体の取り扱いによるデータの磁気的な破壊のおそれが少なく、変造あるいは改ざんが困難であるという特徴を持っている。
【００１５】
しかしながら前記の磁気インク文字データを読み取る機構を実現するには、文字列に対向する位置に配した磁気インク文字データ読み取りヘッドは文字に対して傾きを持っていると読み出した出力波形が崩れ、さらに読み取りに供するヘッドとの相対的な移動速度が低くなれば前記の読み取りヘッドより得られる読み取り出力値が小さくなるという制約条件が存在している。
【００１６】
これより、磁気インク文字データを読み取る機構に必要な条件として、読み取りの対象とする磁気インク文字列と同一の方向性を持つ磁気インク文字データ読み取りヘッドを前記の磁気インク文字列に沿って読み取り移動させるということと、磁気インク文字データを十分に速い速度で読み取るということが必要である。
【００１７】
図１８ないし図２０に基づいて、従来の技術による磁気インク文字データ読み取り機構を備えた画像読み取り装置の構成およびその制御方法を説明する。
【００１８】
従来より、磁気インク文字データ読み取り機構を備えた画像読み取り装置に適用する画像読み取り装置は原稿搬送型の画像読み取り装置に多く見られるので、ここでは原稿搬送型の画像読み取り装置に磁気インク文字データ読み取り機構を備えた構成について説明する。
【００１９】
既に説明したごとく、磁気インク文字データの読み取りを必要とする原稿としての帳票は小切手あるいは手形等に多く見られ、その磁気インク文字データの印字位置は用紙端部からあらかじめ定められた距離にある。したがって多数の帳票を効率よく処理するために、前記の磁気インク文字データの印字位置を用紙端からあらかじめ定められた距離に設定する。
【００２０】
図１８に示すごとく、原稿搬送型の画像読み取り装置であって、磁気インク文字データ読み取り機構を有する画像読み取り装置は、原稿供給機構において固定側原稿ガイド７１ｂおよび可動側原稿ガイド７１ａを備える。
【００２１】
前記の固定側原稿ガイド７１ｂおよび可動側原稿ガイド７１ａにより導き入れられた原稿１は搬送ローラ７２ａによって装置内を搬送され、画像読み取りライン７３による原稿面の全域にかかる画像読み取りに供した後、搬送ローラ７２ｂによってさらに搬送を継続し、磁気読み取りユニット７４による磁気インク文字列２の磁気読み取りに供せられる。
【００２２】
Ｗなる幅の帳票である原稿１は、その端部からあらかじめ定められた距離Ｄの位置に磁気インク文字列２を有する。一般に前記の原稿１である帳票の幅Ｗは適用する帳票種類によって変動するが、磁気インク文字列２を配する距離Ｄは固定された値である場合が多い。したがって前記の固定側原稿ガイド７１ｂと磁気読み取りユニット７４との位置関係を距離Ｄにより規定することにより、ほとんどの磁気インク文字列データを読み取り可能とすることができる。
【００２３】
また一般に搬送ローラを用いた原稿搬送型の画像読み取り装置では、画像読み取りに供する原稿を読み取り部の中央部で読み取らせるべく、左右の原稿ガイドを均等に連動させて移動する機構、すなわちセンター振り分けの機構を持ち、前記の原稿の中央と読み取り部の中央部とを一致させることが多い。
【００２４】
前記のセンター振り分けの機構による措置を取ることにより、読み取り部は常に読み取り素子の出力特性の安定している中央部において読み取り、また原稿の搬送系は左右対称に配した搬送ローラにより斜行することなく安定して原稿を搬送する機構が容易に実現できる。
【００２５】
しかしながら、ここに示した装置のごとく、磁気インク文字データ読み取り位置を設定するために固定側原稿ガイド７１ａ及び可動側原稿ガイド７１ｂを備えた画像読み取り装置では前記のセンター振り分けの機構による措置を講ずることは困難である。
【００２６】
また当然のことながら、画像読み取り装置が画像を光学的に読み取るために原稿を搬送する速度を速く設定すれば画像データの精細度が低下し、磁気インク文字データを磁気的に読み取るために原稿を搬送する速度を遅く設定すれば読み取り出力値が低下して読み取り困難となる。
【００２７】
これより、原稿搬送型画像読み取り装置であって磁気インク文字データ読み取り機構を備えた画像読み取り装置では、その原稿搬送速度を設定する際に、前記の光学的に読み取る速度と磁気的に読み取る速度と両者のバランスを考慮して定めなければならない。
【００２８】
すなわち前記の原稿を光学的に読み取り可能とする速度範囲内で、磁気インク文字データの読み取り可能な速度値とする。当然のことながらここで設定された原稿搬送速度は光学的な読み取りに耐えながら磁気的な読み取りに耐える速度値であるが、同時に光学的に画像を読み取るのに最適な搬送速度でも、磁気的に読み取るのに最適な搬送速度でもなくなる。
【００２９】
当然のことながら、それぞれに光学的に画像を読み取るのに最適な搬送速度を適用することにより最も安定した品質の画像データを得ることができ、また磁気的な読み取りに最適な搬送速度を適用することにより最も安定した品質の読み取りデータを得ることができることは言うまでもないことである。
【００３０】
またフラットベッド型画像読み取り装置において磁気インク文字データ読み取り機構を装備させようとした場合、読み取りの対象とする原稿を載置する位置および載置する原稿の向きを特定し難いので、読み取り対象面と磁気読み取り機構との相対的な位置関係を特定することが困難であり、磁気インク文字データ読み取り機構の装備は困難である。
【００３１】
図１９および図２０に基づいて、従来の技術による原稿搬送型画像読み取り装置であって磁気インク文字データ読み取り機構を備えた画像読み取り装置が、読み取りの対象とする原稿を光学的および磁気的に読み取る制御の手順を説明する。
【００３２】
図１９に示すブロック図に基づいて、その構成要素を説明する。画像読み取り装置Ｂ０７０に内蔵する演算制御部Ｂ０７１は、文字パターンＢ０７１ａおよび搬送速度Ｂ０７１ｂを備える。
【００３３】
前記の文字パターンＢ０７１ａは磁気インク文字データによる個別の出力パターンを格納しており、磁気読み取り部Ｂ０７７が原稿から読み取った出力値と参照して、前記の磁気読み取り部Ｂ０７７が読み取った出力値を数字データあるいは特定の符号データに変換するものである。
【００３４】
前記の搬送速度Ｂ０７１ｂは、当該原稿搬送型画像読み取り装置が原稿を搬送する搬送速度を格納するものであって、原稿搬送部Ｂ０７４を構成する搬送ローラの回転駆動速度を規定するものである。たとえば磁気インク文字データの読み取りを伴なわない画像読み取りに合わせた読み取り搬送速度と、増速して磁気インク文字データの読み取りに合わせた読み取り搬送速度とを規定することにより、用途に合わせた読み取りを実現させる。
【００３５】
図２０に示すフローチャートに基づいて、磁気インク文字データ読み取りを伴なった読み取りを実行する際の制御の手順を説明する。制御の手順を示す各ステップの内容の説明に引用する符号は、前記の図１９に示すブロック図による。
【００３６】
ステップＳ７０１で、操作担当者は読み取りに供する原稿を当該画像読み取り装置Ｂ０７０の原稿供給部Ｂ０７３に載置する。前記の原稿の載置に際し、既に図１８に基づいて説明したごとく、当該原稿を固定側原稿ガイド７１ｂ（前述の図１８を参照）に沿わせて配し、可動側原稿ガイド７１ａ（前述の図１８を参照）の位置を調整して原稿の供給にかかる姿勢を規正する。
【００３７】
前記のごとく、読み取りの対象とする原稿を固定側原稿ガイド７１ｂ（前述の図１８を参照）に沿わせてその供給にかかる姿勢を規正することにより、当該原稿に記載する磁気インク文字列２（前述の図１８を参照）を磁気読み取り部Ｂ０７７を構成する磁気読み取りユニット７４（前述の図１８を参照）の読み取り対象位置に配することができる。
【００３８】
ステップＳ７０２で、読み取りモードを設定する。ここでは磁気インク文字データ読み取りを伴なった読み取りを実行する読み取りモードを選択するので、原稿の読み取り搬送速度は高速モードに設定され、光学的読み取りの十分な精細度は必ずしも保証できなくなる。
【００３９】
ステップＳ７０３で原稿の搬送を開始し、原稿供給部Ｂ０７３より原稿の供給を受けた原稿搬送部Ｂ０７４は搬送ローラ７２ａ（前述の図１８を参照）によって前記の原稿を画像読み取りライン７３（前述の図１８を参照）へ搬送する。
【００４０】
ステップＳ７０４で、画像読み取り部Ｂ０７６は前記の画像読み取りライン７３（前述の図１８を参照）において原稿を光学的に読み取り、原稿搬送部Ｂ０７４は搬送ローラ７２ｂ（前述の図１８を参照）によって前記の原稿を磁気読み取りユニット７４（前述の図１８を参照）へ搬送する。
【００４１】
ステップＳ７０５で、磁気読み取り部Ｂ０７７は前記の磁気読み取りユニット７４（前述の図１８を参照）において前記の原稿に記載された磁気インク文字列２（前述の図１８を参照）を磁気的に読み取る。
【００４２】
ステップＳ７０６で、原稿搬送部Ｂ０７４は光学的な読み取りおよび磁気的な読み取りを終了した原稿を装置外に排出する。
【００４３】
【発明が解決しようとする課題】
前記のごとく、従来の技術による磁気インク文字データ読み取り機構を備えた画像読み取り装置では、次に述べるような問題点がある。
【００４４】
既に述べたごとく、画像を光学的に読み取る最適な読み取り速度と、磁気インク文字を磁気的に読み取る最適な読み取り速度とは異なったものである。
【００４５】
したがって、例えば原稿搬送型画像読み取り装置であって磁気インク文字データ読み取り機構を備えた画像読み取り装置においては、原稿搬送速度を、磁気インク文字を磁気的に読み取る速度範囲にあって、画像を光学的に読み取り可能とする速度値に設定している。
【００４６】
前記の条件により設定した原稿搬送速度値は、当然のことながら画像を光学的に読み取る最適な読み取り速度と必ずしも一致するものではなく、また磁気インク文字を磁気的に読み取る最適な読み取り速度と一致するものでもない。
【００４７】
また前記の磁気インク文字によるデータを磁気的に読み取る磁気読み取りヘッドは、励磁機構部と読み取り機構部とによる構成をなしているので、通常は読み取り時の方向性を有している。
【００４８】
したがって前記の磁気読み取りヘッドの方向は前記の磁気インクによる文字列の方向と一致させなければならないため、原稿の搬送姿勢を規正する機構を必要とする。
【００４９】
前記の種々の寸法による原稿の搬送姿勢をそれぞれに規正する機構を実現するためには、原稿を搬送する搬送ローラをセンター振り分けに配し、その中央部に原稿を載置する方式が有利であることはいうまでもないことであるが、通常は原稿の側面より特定の距離に磁気読み取りヘッドを配するために片側に固定した原稿ガイドを配した、いわば片側基準による原稿の搬送姿勢を規正する機構による。
【００５０】
また、たとえばフラットベッド型画像読み取り装置において磁気インク文字データ読み取り機構を装備させようとすると、載置する原稿の位置およびその姿勢を矯正する機構が必要となり、その実現は困難である。
【００５１】
これより、磁気インク文字データ読み取り機構を備えた画像読み取り装置およびその制御方法において、読み取りの対象とする原稿を光学的に画像読み取りを行なう際にはその最適な読み取り速度による画像読み取りを行ない、さらに磁気インク文字データ部分を磁気的に読み取る際にはその最適な読み取り方向に設定した磁気読み取りヘッドにより最適な読み取り速度による画像読み取りを行なうこと、および特別な操作によらずして磁気インク文字データを効率よく正確に読み取ることを、この発明が解決しようとする課題とする。
【００５２】
【課題を解決するための手段】
前記の問題点を解決するために、この発明では次に示す手段を取った。
【００５３】
磁気インク文字データ読み取り機構を備えた画像読み取り装置において、光学的画像読み取り機構が、当初に画像の光学的読み取りに合わせた読み取り速度により光学的画像読み取りデータを獲得するとともに、当該画像データより磁気インク文字列の所在位置およびその傾きを検出する。
【００５４】
次いで前記の光学的画像読み取りデータより検出した磁気インク文字列の所在位置およびその傾きをもとに、磁気インク文字データ読み取り機構に備える磁気的読み取り部の設定位置およびその傾きを設定する。
【００５５】
次いで前記の磁気インク文字データ読み取り機構が磁気読み取りに適した読み取り速度、すなわち前記の光学的読み取りより速く設定した読み取り速度をもって、当該原稿に記載する磁気インク文字列を読み取る。
【００５６】
これらの手段を取ることによって、当該画像読み取り装置は読み取りに供する原稿より光学的画像読み取りデータとともに磁気インク文字データを獲得するという作用を得る。
【００５７】
前記の手段を持った原稿搬送型画像読み取り装置において、光学的画像読み取りに対応する搬送速度により原稿を順方向に搬送する手段と、前記の原稿を保持した状態で搬送を停止する手段と、前記の停止した原稿を逆方向に搬送して再び保持した状態で搬送を停止する手段と、前記の停止した原稿の磁気的な読み取りに対応する搬送速度により原稿を順方向に搬送する手段とを備える。
【００５８】
あるいはまた、前記の手段を持った原稿搬送型画像読み取り装置において、光学的画像読み取りに対応する搬送速度により原稿を順方向に搬送する手段と、前記の原稿を保持した状態で搬送を停止する手段と、前記の停止した原稿の磁気的な読み取りに対応する搬送速度により原稿を逆方向に搬送する手段とを備える。
【００５９】
あるいはまた、前記の手段を持った原稿搬送型画像読み取り装置において、光学的画像読み取りに対応する搬送速度により原稿を順方向に搬送する手段と、順方向に搬送していったん停止させた前記の原稿の磁気的な読み取りに対応する搬送速度により原稿をトラバース方向に搬送する手段とを備える。
【００６０】
あるいはまた、前記の手段を持った原稿搬送型画像読み取り装置において、光学的画像読み取りに対応する搬送速度により原稿を順方向に搬送する手段と、順方向に搬送していったん停止させた前記の原稿に沿って磁気的な読み取りに対応する搬送速度により磁気インク文字データ読み取り機構部をトラバース方向に移動させる手段とを備える。
【００６１】
これらの手段を取ることによって、当該原稿搬送型画像読み取り装置は、適正な読み取り搬送速度により光学的画像読み取りデータとともに磁気インク文字データを獲得する機構を装備するという作用を得る。
【００６２】
前記の手段を持ったフラットベッド型画像読み取り装置において、光学的画像読み取りに対応する速度により順方向に原稿を読み取る手段と、前記の原稿の磁気的な読み取りに対応する移動速度により順方向およびトラバース方向に移動可能な磁気インク文字読み取り機構を備える。
【００６３】
この手段を取ることによって、当該フラットベッド型画像読み取り装置は、適正な読み取り読み取り速度により光学的画像読み取りデータとともに磁気インク文字データを獲得する機構を装備するという作用を得る。
【００６４】
【発明の実施の形態】
この発明は、次に示すような形態を取る。
【００６５】
原稿搬送型画像読み取り装置であって、磁気インク文字データ読み取り機構を備えた画像読み取り装置において、供給された原稿を光学的に読み取って磁気インクによる文字列を検出して前記の磁気インクによる文字列が当該原稿の搬送方向に沿って配列していることを確認する手段と、前記の原稿の搬送方向に沿って配列している磁気インクによる文字列を、磁気インク文字データ読み取り機構が原稿の搬送方向に沿って磁気的に読み取るべくその磁気読み取り部を前記の磁気インクによる文字列の所在する位置に設定させる手段とを備える。
【００６６】
この形態を取ることによって、当該画像読み取り装置は光学的画像データより検出した磁気インクによる文字列に磁気読み取り部を対応させる機構を装備するという作用を得る。
【００６７】
原稿搬送型画像読み取り装置であって、磁気インク文字データ読み取り機構を備えた画像読み取り装置の制御方法において、供給された原稿を順方向に搬送して、前記の原稿を光学的に画像読み取りを行なうとともに磁気インクによる文字列を検出して前記の文字列が当該原稿の搬送方向に沿って配列していることを確認し、前記の検出された磁気インクによる文字列の所在する位置に磁気インク文字データ読み取り機構の磁気読み取り部を配し、搬送をいったん停止させた前記の原稿を逆方向に搬送した後に、再度、原稿を逆方向に搬送させて再び停止し、前記の原稿を磁気インク文字データの磁気的読み取りに対応した搬送速度をもって順方向に搬送して、当該磁気インク文字データ読み取り機構が前記の磁気インクによる文字列を磁気的に読み取る。
【００６８】
この形態を取ることによって、当該画像読み取り装置は原稿に記載された画像を適正な速度に設定した読み取り速度により読み取る制御の手順とともに、いったん後退させた原稿より改めて磁気インク文字列を適正な速度に設定した読み取り速度により読み取る制御の手順とを装備するという作用を得る。
【００６９】
原稿搬送型画像読み取り装置であって、磁気インク文字データ読み取り機構を備えた画像読み取り装置の制御方法において、供給された原稿を順方向に搬送して、前記の原稿を光学的に画像読み取りを行なうとともに磁気インクによる文字列を検出して前記の文字列が当該原稿の搬送方向に沿って配列していることを確認し、前記の検出された磁気インクによる文字列所在する位置に磁気インク文字データ読み取り機構の磁気読み取り部を配し、搬送をいったん停止させた前記の原稿を磁気インク文字データの磁気的読み取りに対応した搬送速度をもって逆方向に搬送して、当該磁気インク文字データ読み取り機構が前記の磁気インクによる文字列を磁気的に読み取る。
【００７０】
この形態を取ることによって、当該画像読み取り装置は原稿に記載された画像を適正な順方向の速度に設定した読み取り速度により読み取る制御の手順とともに、前記の原稿より改めて磁気インク文字列を適正な速度に設定した逆方向の読み取り速度により読み取る制御の手順とを装備するという作用を得る。
【００７１】
原稿搬送型画像読み取り装置であって、磁気インク文字データ読み取り機構を備えた画像読み取り装置において、供給された原稿を光学的に読み取って磁気インクによる文字列を検出して前記の文字列が当該原稿の搬送方向に直交して配列していることを確認する手段と、前記の原稿の搬送方向に直交して配列している磁気インクによる文字列を、磁気インク文字データ読み取り機構が原稿供給時の搬送方向に直交する方向に沿って磁気的に読み取る手段とを備える。
【００７２】
この形態を取ることによって、当該画像読み取り装置は光学的画像データより検出した磁気インクによる文字列に磁気読み取り部を対応させる機構を装備するという作用を得る。
【００７３】
前記の原稿搬送型画像読み取り装置において、前記の磁気インク文字データ読み取り機構は、読み取りの対象とする原稿を原稿供給時の搬送方向に直交する方向に搬送して磁気読み取りに供するトラバースローラを備える。
【００７４】
この形態を取ることによって、当該画像読み取り装置は光学的画像データより検出した磁気インクによる文字列に対応させて磁気読み取り部を対応させ、前記の原稿をトラバース方向に搬送させて適正な速度により前記の文字列を磁気的に読み取る機構を装備するという作用を得る。
【００７５】
前記の原稿搬送型画像読み取り装置において、前記の磁気インク文字データ読み取り機構は、当該磁気インク文字データ読み取り機構を原稿供給時の搬送方向に直交する方向に移動せしめる手段を備える。
【００７６】
この形態を取ることによって、当該画像読み取り装置は光学的画像データより検出した磁気インクによる文字列に対応させて磁気読み取り部を対応させ、前記の磁気読み取り部をトラバース方向に移動させて適正な速度により前記の文字列を磁気的に読み取る機構を装備するという作用を得る。
【００７７】
原稿搬送型画像読み取り装置であって、磁気インク文字データ読み取り機構を備えた画像読み取り装置の制御方法において、供給された原稿を順方向に搬送して、前記の原稿を光学的に画像読み取りを行なうとともに磁気インクによる文字列を検出して前記の文字列が当該原稿の搬送方向に直交して配列していることを確認し、搬送をいったん停止させた前記の原稿を磁気インク文字データの磁気的読み取りに対応した搬送速度をもって原稿供給時の搬送方向に直交する方向に搬送して、当該磁気インク文字データ読み取り機構が磁気的に前記の磁気インクによる文字列を読み取る。
【００７８】
この形態を取ることによって、当該画像読み取り装置は原稿に記載された画像を適正な順方向の速度に設定した読み取り速度により読み取る制御の手順とともに、前記の原稿をトラバース方向に搬送して磁気インク文字列を適正な速度により読み取る制御の手順とを装備するという作用を得る。
【００７９】
原稿搬送型画像読み取り装置であって、磁気インク文字データ読み取り機構を備えた画像読み取り装置の制御方法において、供給された原稿を順方向に搬送して、前記の原稿を光学的に画像読み取りを行なうとともに磁気インクによる文字列を検出して前記の文字列が当該原稿の搬送方向に直交して配列していることを確認し、いったん停止した前記の原稿に対し、磁気インク文字データ読み取り機構を磁気インク文字データの磁気的読み取りに対応した移動速度をもって原稿供給時の搬送方向に直交する方向に移動させ、当該磁気インク文字データ読み取り機構が前記の磁気インクによる文字列を磁気的に読み取る。
【００８０】
この形態を取ることによって、当該画像読み取り装置は原稿に記載された画像を適正な順方向の速度に設定した読み取り速度により読み取る制御の手順とともに、停止させた前記の原稿に沿って磁気読み取り部をトラバース方向に読み取り移動させて磁気インク文字列を適正な速度により読み取る制御の手順とを装備するという作用を得る。
【００８１】
フラットベッド型画像読み取り装置であって、磁気インク文字データ読み取り機構を備えた画像読み取り装置において、原稿を光学的に読み取る画像読み取り機構により、載置された原稿の読み取り面を光学的に読み取って磁気インクによる文字列の所在およびその配列の方向を検出する手段を備え、磁気インク文字データ読み取り機構が、その読み取り部を載置された原稿の読み取り面に対向して平行な面上を直行する２方向に沿って移動させる手段を備える。
【００８２】
この形態を取ることによって、当該画像読み取り装置は光学的画像データより検出した磁気インクによる文字列に対応させて磁気読み取り部を対応させ、前記の磁気読み取り部を読み取りの対象とする原稿に平行な面上において順方向およびトラバース方向に移動させて適正な速度により前記の文字列を磁気的に読み取る機構を装備するという作用を得る。
【００８３】
前記の画像読み取り装置において、前記の磁気インク文字データ読み取り機構は、その磁気読み取り部の読み取り方向を変更させる手段を備える。
【００８４】
この形態を取ることによって、当該画像読み取り装置は光学的画像データより検出した磁気インクによる文字列に対応させて磁気読み取り部の読み取り方向を設定する機構を装備するという作用を得る。
【００８５】
フラットベッド型画像読み取り装置であって、磁気インク文字データ読み取り機構を備えた画像読み取り装置の制御方法において、原稿を光学的に読み取る画像読み取り機構が載置された原稿の読み取り面を光学的に読み取って、磁気インクによる文字列の所在およびその配列の方向を検出し、磁気インク文字データ読み取り機構の磁気読み取り部はその読み取り方向を前記の原稿の磁気インクによる文字列の配列の方向に合わせて設定し、次いで原稿の読み取り面に対向して平行な面上を直行する２方向に沿って移動して、前記の磁気インクによる文字列を磁気的に読み取る。
【００８６】
この形態を取ることによって、当該画像読み取り装置は載置した原稿に記載された画像を適正な順方向の速度に設定した読み取り速度により読み取る制御の手順とともに、前記の磁気インク文字データ読み取り機構を前記の原稿に記載された磁気インク文字列に沿って移動させて適正な速度により読み取る制御の手順とを装備するという作用を得る。
【００８７】
【実施例】
図１ないし図１７に基づいて、この発明の代表的な実施例を説明する。
【００８８】
図１は、この発明の代表的なひとつの実施例を適用した原稿搬送型画像読み取り装置の主要部を模式的に示したものである。
【００８９】
すなわち原稿供給機構を構成する原稿ガイド１１ａおよび１１ｂは、読み取りの対象とする原稿１の進行方向に直交する方向において連動して互いに反対方向に移動可能に配されており、その移動量は常に等しい。
【００９０】
これより当該原稿ガイド１１ａおよび１１ｂによって規正された原稿１の中心線は、供給される原稿の幅の如何に拘らず常に一定の位置にあって搬送系の中心線と一致する。したがって当該原稿搬送型画像読み取り装置は、常に前記の搬送系の中心線に関してセンター振り分けで原稿の供給を受ける。
【００９１】
原稿ガイド１１ａおよび１１ｂによって規正された原稿１は、搬送ローラ１２ａおよび１２ｂによって搬送される。前記の搬送ローラ１２ａおよび１２ｂは、その中心軸上に複数個数のローラを配した構造を持ち、その配列は前記の搬送系の中心線に関して左右対称とする。したがって前記の搬送ローラ１２ａおよび１２ｂは、常に搬送系の中心線に関してセンター振り分けで原稿１を駆動する。
【００９２】
前記の搬送ローラ１２ａおよび１２ｂが搬送系の中心線に関してセンター振り分けで原稿１を駆動することにより、前記の原稿１は常に左右の均衡を保って搬送されるとともに、常に画像読み取りライン１３の中央部において光学的な読み取りに供される。
【００９３】
前記の原稿１に記載された磁気インク文字列２を磁気的に読み取る磁気読み取りユニット１４は、磁気読み取り位置設定機構１４ａによって前記の原稿１の搬送方向に直交する方向に移動可能とする。
【００９４】
前記の原稿１はＷなる幅を有し、その側面よりＤなる距離に磁気インク文字列２を配している
【００９５】
前記の磁気読み取り位置設定機構１４ａは、前記の画像読み取りライン１３において光学的に読み取った画像データにより原稿１の幅Ｗを検出し、当該原稿１の側面より距離Ｄなる位置にある磁気インク文字列２を特定して、磁気読み取りユニット１４の位置を特定する。
【００９６】
あるいはまた、簡易的には原稿ガイド１１ａ、および１１ｂの設定位置をセンサ等が感知することで、前記の原稿１の側面の位置を検出し、前記の原稿１の側面より距離Ｄなる位置にある磁気インク文字列２を特定して、磁気読み取りユニット１４の位置を特定する。
【００９７】
また前記の磁気読み取りユニット１４は前記の磁気読み取り位置設定機構１４ａ上においてその読み取り方向を調整するアジマス調整機構（図示せず）を持ち、前記の画像読み取りライン１３において光学的に読み取って検出した原稿１に記載する磁気インク文字列２の傾き値に応じて、磁気読み取りユニット１４の読み取り方向を調整する。前記のアジマス調整機構により、読み取り搬送される原稿の姿勢の傾きに対する補正を行なうことができる。
【００９８】
図２に基づいて、前記の図１に示した画像読み取り装置に適用する原稿搬送系のひとつの実施例を説明する。
【００９９】
すなわち画像読み取り装置１０に供給された原稿１は、光学的読み取りに供する搬送速度をもって搬送ローラ１２ａにより順方向に搬送されて画像読み取りユニット１３ａにより光学的に読み取られ、搬送ローラ１２ｂによりさらに順方向に搬送されて前記の搬送ローラ１２ｂが前記の原稿１の後端を保持した時点で搬送駆動を停止する。
【０１００】
次いで原稿１の後端を保持した状態で停止した搬送ローラ１２ｂが逆転駆動を開始する。前記の原稿１は逆転駆動を行なう搬送ローラ１２ｂにより逆方向に搬送され、前記の搬送ローラ１２ｂが前記の原稿１の前端を保持した時点で逆方向の搬送駆動を停止する。
【０１０１】
次いで原稿１の前端を保持して停止した搬送ローラ１２ｂは、磁気的読み取りに供する搬送速度をもって順方向の回転駆動を開始し、前記の原稿１は順方向に磁気的読み取りに供する搬送速度（すなわち、前記の光学的読み取り速度より速い速度）をもって磁気読み取りユニット１４の読み取り地点を通過し、磁気インク文字列２（図１を参照）は前記の磁気読み取りユニット１４によって読み取られる。
【０１０２】
磁気インク文字列２を読み取られた原稿１は、継続する順方向の搬送によって装置外に排出される。
【０１０３】
図３に基づいて、前記の図１に示した画像読み取り装置に適用する原稿搬送系の別のひとつの実施例を説明する。
【０１０４】
すなわち画像読み取り装置１０に供給された原稿１は、光学的読み取りに供する搬送速度をもって搬送ローラ１２ａにより順方向に搬送されて画像読み取りユニット１３ａにより光学的に読み取られ、搬送ローラ１２ｂおよび１２ｃによりさらに順方向に搬送されて前記の搬送ローラ１２ｃが前記の原稿１の後端を保持した時点で搬送駆動を停止する。
【０１０５】
次いで原稿１の後端を保持して停止した搬送ローラ１２ｃは、磁気的読み取りに供する搬送速度をもって逆方向の回転駆動を開始し、前記の原稿１は逆方向に磁気的読み取りに供する搬送速度（すなわち、前記の光学的読み取り速度より速い速度）をもって磁気読み取りユニット１４の読み取り地点を通過し、磁気インク文字列２（図１を参照）は前記の磁気読み取りユニット１４によって読み取られる。
【０１０６】
前記の磁気読み取りユニット１４によって磁気インク文字列２を読み取られた原稿１は、継続する逆方向の搬送によって排出路１５を経由し、装置外に排出される。
【０１０７】
図４に示すブロック図と、図５および図６に示すフローチャートに基づいて、前記の図１および図２に示した構成を持つ画像読み取り装置で実施する制御を説明する。
【０１０８】
図４に示すブロック図に基づいて、その構成要素の配置を説明する。
【０１０９】
画像読み取り装置Ｂ０１０に内蔵する演算制御部Ｂ０１１は、文字パターンＢ０１１ａおよび搬送速度Ｂ０１１ｂを備える。
【０１１０】
前記の文字パターンＢ０１１ａは磁気インク文字による個別の画像サンプルと磁気インク文字データによる個別の出力パターンサンプルとを格納する。
【０１１１】
前記の磁気インク文字による個別の画像サンプルは、磁気インク文字列を構成する個別の文字の形態を示すものであり、画像読み取り部Ｂ０１６が光学的に読み取った画像データより磁気インク文字列を検出する際に参照するサンプル画像データである。
【０１１２】
前記の個別の出力パターンサンプルは、磁気読み取り部Ｂ０１７ａが原稿から磁気的に読み取った出力値と参照して、前記の磁気読み取り部Ｂ０１７ａが読み取った出力値を数字データあるいは特定の符号データに変換するものである。
【０１１３】
前記の搬送速度Ｂ０１１ｂは、当該原稿搬送型画像読み取り装置が原稿を搬送する搬送速度を設定して格納するものであって、原稿搬送部Ｂ０１４を構成する搬送ローラの回転駆動速度を規定するものである。ここでは画像読み取りに合わせた読み取り搬送速度と、増速して磁気インク文字データの磁気読み取りに合わせた読み取り搬送速度とを規定する。
【０１１４】
原稿供給部Ｂ０１３は、当該原稿搬送型画像読み取り装置に原稿を供給する機構部であって、図１に示した原稿ガイド１１ａおよび１１ｂを備えるものである。
【０１１５】
原稿搬送部Ｂ０１４は、当該原稿搬送型画像読み取り装置に供給された原稿を装置内で搬送する機構部であって、図１および図２に示した搬送ローラ１２ａ、１２ｂおよび１２ｃを備えるものである。
【０１１６】
読み取り位置設定部Ｂ０１７ｂは磁気読み取り部Ｂ０１７ａを構成する磁気読み取りユニット１４（図１を参照）を配する位置を制御するものであり、アジマス調整部Ｂ０１７ｃは前記の磁気読み取りユニット１４の読み取り方向を制御するものである。
【０１１７】
図５に示すフローチャートに基づいて、磁気インク文字データ読み取りを伴なった画像読み取りを実行する際の制御の手順を説明する。制御の手順を示す各ステップの内容の説明に引用する符号は、前記の図４に示すブロック図による。
【０１１８】
なおここで説明する読み取り動作は、既に図１により説明したごとく、磁気インク文字列２が当該原稿１の端面より距離Ｄなる位置に記載されていることが当初より確認された原稿に適用する動作方式によるものである。
【０１１９】
ステップＳ００１で、操作担当者は読み取りに供する原稿を当該画像読み取り装置Ｂ０１０の原稿供給部Ｂ０１３に載置する。前記の原稿の載置に際し、既に図１に基づいて説明したごとく、当該原稿を原稿ガイド１１ａおよび１１ｂ（前述の図１を参照）により両側より挟みこみ、原稿の供給にかかる姿勢を規正する。
【０１２０】
前記のごとく、読み取りの対象とする原稿を原稿ガイド１１ａおよび１１ｂ（前述の図１を参照）をもって両側より挟むことにより、当該原稿の中心線を搬送系の中心線に合わせて配することができる。
【０１２１】
ステップＳ００２で、演算制御部Ｂ０１１は搬送速度Ｂ０１１ｂより画像読み取りに合わせた搬送速度パターンを取り出して設定し、原稿搬送部Ｂ０１４に指示する。
【０１２２】
ステップＳ００３で、原稿搬送部Ｂ０１４は前記の画像読み取りに合わせた搬送速度パターンに基づいて原稿の搬送を開始する。
【０１２３】
ステップＳ００４で画像読み取り部Ｂ０１６は画像読み取りライン１３（図１を参照）を通過する原稿を光学的に読み取り、ステップＳ００５に進んで前記の原稿の後端が通過したことを確認して原稿の搬送を停止する。前記の原稿の搬送を停止した時点では、前記の原稿搬送部Ｂ０１４構成する搬送ローラ１ｂ（図１を参照）が原稿を保持した状態である。
【０１２４】
ステップＳ００６で演算制御部Ｂ００１は画像読み取り部Ｂ０１６が獲得した画像データより当該原稿の幅を算出し、ステップＳ００７に進んで前記の原稿の端面より所定の距離に定義する磁気読み取り位置を算出して読み取り位置設定部Ｂ０１７ｂに指示する。前記の指示に基づき、前記の読み取り位置設定部Ｂ０１７ｂを構成する磁気読み取り位置設定機構１４ａ（図１を参照）は磁気読み取りユニット１４（図１を参照）の読み取り位置を調整する。
【０１２５】
ステップＳ００８で原稿搬送部Ｂ０１４は搬送ローラ１２ｂ（図１および図２を参照）がその後端を保持して停止する原稿を逆方向に搬送を開始し、ステップＳ００９に進んで逆方向の搬送を停止し、前記の搬送ローラ１２ｂが原稿の前端を保持する状態とする。
【０１２６】
ステップＳ０１０で原稿搬送部Ｂ０１４は演算制御部Ｂ０１１の搬送速度Ｂ０１１ｂより得た「磁気読み取りに適合する搬送速度」を適用して原稿搬送速度として設定し、ステップＳ０１１に進んで順方向の搬送を開始する。
【０１２７】
ステップＳ０１２で磁気読み取り部Ｂ０１７ａは所定の位置に調整された磁気読み取りユニット１４（図１を参照）により原稿１（図１を参照）に記載された磁気インク文字列２（図１を参照）を先に設定した読み取り速度（すなわち、前記の光学的読み取り速度より速い速度）で磁気的に読み取り、ステップＳ０１３に進んで読み取りを終了した原稿を装置外に排出する。
【０１２８】
図６に示すフローチャートに基づいて、磁気インク文字データ読み取りを伴なった画像読み取りを実行する際の制御の手順を説明する。制御の手順を示す各ステップの内容の説明に引用する符号は、前記の図４に示すブロック図による。
【０１２９】
なおここで説明する読み取り動作は、当該画像読み取り装置Ｂ０１０において、画像読み取り部Ｂ０１６が光学的に読み取った画像データより検出した磁気インク文字列部分を、磁気読み取り部Ｂ０１７ａが磁気的に読み取る動作方式によるものである。
【０１３０】
ステップＳ０２１で、操作担当者は読み取りに供する原稿を当該画像読み取り装置Ｂ０１０の原稿供給部Ｂ０１３に載置する。前記の原稿の載置に際し、既に図１に基づいて説明したごとく、当該原稿を原稿ガイド１１ａおよび１１ｂ（前述の図１を参照）により両側より挟みこみ、原稿の供給にかかる姿勢を規正する。
【０１３１】
前記のごとく、読み取りの対象とする原稿を原稿ガイド１１ａおよび１１ｂ（前述の図１を参照）をもって両側より挟むことにより、当該原稿の中心線を搬送系の中心線に合わせて配することができる。
【０１３２】
ステップＳ０２２で、演算制御部Ｂ００１は搬送速度Ｂ０１１ｂより画像読み取りに合わせた搬送速度パターンを取り出して設定し、原稿搬送部Ｂ０１４に指示する。
【０１３３】
ステップＳ０２３で、原稿搬送部Ｂ０１４は前記の光学的な画像読み取りに合わせた搬送速度パターンに基づいて原稿の搬送を開始する。
【０１３４】
ステップＳ０２４で画像読み取り部Ｂ０１６は画像読み取りライン１３（図１を参照）を通過する原稿を光学的に読み取り、ステップＳ０２５に進んで前記の原稿の後端が通過したことを確認して原稿の搬送を停止する。前記の原稿の搬送を停止した時点では、前記の原稿搬送部Ｂ０１４構成する搬送ローラ１ｂ（図１を参照）が原稿を保持した状態である。
【０１３５】
ステップＳ０２６で、演算制御部Ｂ０１１は画像読み取り部Ｂ０１６より提供を受けた画像データより磁気インク文字パターンによる文字列を検出する。前記の磁気インク文字パターンによる文字列は、文字パターンＢ０１１ａより提供を受けた文字パターンと比較照合して見出すものである。
【０１３６】
ステップＳ０２７で、前記の演算制御部Ｂ０１１が検出した磁気インク文字パターンによる文字列の配列する方向を検出する。
【０１３７】
ステップＳ０２８で前記の磁気インク文字パターンによる文字列の配列する方向が当該原稿の搬送方向に沿ったものであれば、ステップＳ０２９に進んで前記の演算制御部Ｂ０１１は読み取り位置設定部Ｂ０１７ｂに指示を発して磁気読み取り位置を指示するとともに、アジマス調整部Ｂ０１７ｃに磁気読み取りユニット１４（図１を参照）の読み取り方向にかかる調整を行なわせる。
【０１３８】
なお前記のステップＳ０２８で前記の磁気インク文字パターンによる文字列の配列する方向が当該原稿の搬送方向に沿ったものではないと判別された場合は、ステップＳ０３６に進んでアラームを発信するなどして磁気文字列が読み取り不能な方向にあることを表示し、当該読み取り動作を終了する。
【０１３９】
ステップＳ０３０で原稿搬送部Ｂ０１４は搬送ローラ１２ｂ（図１および図２を参照）がその後端を保持して停止する原稿を逆方向に搬送を開始し、ステップＳ０３１に進んで逆方向の搬送を停止し、前記の搬送ローラ１２ｂが原稿の前端を保持する状態とする。
【０１４０】
ステップＳ０３２で原稿搬送部Ｂ０１４は演算制御部Ｂ０１１の搬送速度Ｂ０１１ｂより得た「磁気読み取りに適合する搬送速度」を適用して原稿搬送速度として設定し、ステップＳ０３３に進んで順方向の搬送を開始する。
【０１４１】
ステップＳ０３４で磁気読み取り部Ｂ０１７ａは所定の位置に調整された磁気読み取りユニット１４（図１を参照）により原稿１（図１を参照）に記載された磁気インク文字列２（図１を参照）を前記の設定された読み取り速度（すなわち、前記の光学的読み取り速度より速い速度）で磁気的に読み取り、ステップＳ０３５に進んで読み取りを終了した原稿を装置外に排出する。
【０１４２】
図４に示すブロック図と、図７および図８に示すフローチャートに基づいて、前記の図１および図３に示した構成を持つ画像読み取り装置で実施する制御を説明する。
【０１４３】
図７に示すフローチャートに基づいて、磁気インク文字データ読み取りを伴なった画像読み取りを実行する際の制御の手順を説明する。制御の手順を示す各ステップの内容の説明に引用する符号は、前記の図４に示すブロック図による。
【０１４４】
なおここで説明する読み取り動作は、既に図１により説明したごとく、磁気インク文字列２が当該原稿１の端面より距離Ｄなる位置に記載されていることが当初より確認された原稿に適用する動作方式によるものである。
【０１４５】
ステップＳ０４１で、操作担当者は読み取りに供する原稿を当該画像読み取り装置Ｂ０１０の原稿供給部Ｂ０１３に載置する。前記の原稿の載置に際し、既に図１に基づいて説明したごとく、当該原稿を原稿ガイド１１ａおよび１１ｂ（前述の図１を参照）により両側より挟みこみ、原稿の供給にかかる姿勢を規正する。
【０１４６】
前記のごとく、読み取りの対象とする原稿を原稿ガイド１１ａおよび１１ｂ（前述の図１を参照）をもって両側より挟むことにより、当該原稿の中心線を搬送系の中心線に合わせて配することができる。
【０１４７】
ステップＳ０４２で、演算制御部Ｂ００１は搬送速度Ｂ０１１ｂより光学的画像読み取りに合わせた搬送速度パターンを取り出して設定し、原稿搬送部Ｂ０１４に指示する。
【０１４８】
ステップＳ０４３で、原稿搬送部Ｂ０１４は前記の画像読み取りに合わせた搬送速度パターンに基づいて原稿の搬送を開始する。
【０１４９】
ステップＳ０４４で画像読み取り部Ｂ０１６は画像読み取りライン１３（図１を参照）を通過する原稿を光学的に読み取り、ステップＳ０４５に進んで前記の原稿の後端が通過したことを確認して原稿の搬送を停止する。前記の原稿の搬送を停止した時点では、前記の原稿搬送部Ｂ０１４構成する搬送ローラ１ｃ（図３を参照）が原稿を保持した状態である。
【０１５０】
ステップＳ０４６で演算制御部Ｂ００１は画像読み取り部Ｂ０１６が獲得した画像データより当該原稿の幅を算出し、ステップＳ０４７に進んで前記の原稿の端面より所定の距離に定義する磁気読み取り位置を算出して読み取り位置設定部Ｂ０１７ｂに指示する。前記の指示に基づき、前記の読み取り位置設定部Ｂ０１７ｂを構成する磁気読み取り位置設定機構１４ａ（図１を参照）は磁気読み取りユニット１４（図１を参照）の読み取り位置を調整する。
【０１５１】
ステップＳ０４８で原稿搬送部Ｂ０１４は演算制御部Ｂ０１１の搬送速度Ｂ０１１ｂより得た「磁気読み取りに適合する搬送速度」を適用して原稿搬送速度として設定し、ステップＳ０４９に進んで順方向の搬送を開始する。
【０１５２】
ステップＳ０５０で磁気読み取り部Ｂ０１７ａは所定の位置に調整された磁気読み取りユニット１４（図１を参照）により原稿１（図１を参照）に記載された磁気インク文字列２（図１を参照）を先に設定された読み取り速度（すなわち、前記の光学的読み取り速度より速い速度）で磁気的に読み取り、ステップＳ０５１に進んで読み取りを終了した原稿を排出路１５（図３を参照）を経由して装置外に排出する。
【０１５３】
図８に示すフローチャートに基づいて、磁気インク文字データ読み取りを伴なった画像読み取りを実行する際の制御の手順を説明する。制御の手順を示す各ステップの内容の説明に引用する符号は、前記の図４に示すブロック図による。
【０１５４】
なおここで説明する読み取り動作は、当該画像読み取り装置Ｂ０１０において、画像読み取り部Ｂ０１６が光学的に読み取った画像データより検出した磁気インク文字列部分を、磁気読み取り部Ｂ０１７ａが磁気的に読み取る動作方式によるものである。
【０１５５】
ステップＳ０６１で、操作担当者は読み取りに供する原稿を当該画像読み取り装置Ｂ０１０の原稿供給部Ｂ０１３に載置する。前記の原稿の載置に際し、既に図１に基づいて説明したごとく、当該原稿を原稿ガイド１１ａおよび１１ｂ（前述の図１を参照）により両側より挟みこみ、原稿の供給にかかる姿勢を規正する。
【０１５６】
前記のごとく、読み取りの対象とする原稿を原稿ガイド１１ａおよび１１ｂ（前述の図１を参照）をもって両側より挟むことにより、当該原稿の中心線を搬送系の中心線に合わせて配することができる。
【０１５７】
ステップＳ０６２で、演算制御部Ｂ０１１は搬送速度Ｂ０１１ｂより画像読み取りに合わせた搬送速度パターンを取り出して設定し、原稿搬送部Ｂ０１４に指示する。
【０１５８】
ステップＳ０６３で、原稿搬送部Ｂ０１４は前記の画像読み取りに合わせた搬送速度パターンに基づいて原稿の搬送を開始する。
【０１５９】
ステップＳ０６４で画像読み取り部Ｂ０１６は画像読み取りライン１３（図１を参照）を通過する原稿を光学的に読み取り、ステップＳ０６５に進んで前記の原稿の後端が通過したことを確認してその所定時間後に原稿の搬送を停止する。前記の原稿の搬送を停止した時点では、前記の原稿搬送部Ｂ０１４構成する搬送ローラ１ｃ（図３を参照）が原稿を保持した状態である。
【０１６０】
ステップＳ０６６で、演算制御部Ｂ０１１は画像読み取り部Ｂ０１６より提供を受けた画像データより磁気インク文字パターンによる文字列を検出する。前記の磁気インク文字パターンによる文字列は、文字パターンＢ０１１ａより提供を受けた文字パターンと比較照合して見出すものである。
【０１６１】
ステップＳ０６７で、前記の演算制御部Ｂ０１１が検出した磁気インク文字パターンによる文字列の配列する方向を検出する。
【０１６２】
ステップＳ０６８で前記の磁気インク文字パターンによる文字列の配列する方向が当該原稿の搬送方向に沿ったものであれば、ステップＳ０６９に進んで前記の演算制御部Ｂ０１１は読み取り位置設定部Ｂ０１７ｂに指示を発して磁気読み取り位置を指示するとともに、アジマス調整部Ｂ０１７ｃに磁気読み取りユニット１４（図１を参照）の読み取り方向にかかる調整を行なわせる。
【０１６３】
なお前記のステップＳ０６８で前記の磁気インク文字パターンによる文字列の配列する方向が当該原稿の搬送方向に沿ったものではないと判別された場合は、ステップＳ０７４に進んでアラームを発信するなどして磁気文字列が読み取り不能な方向にあることを表示し、当該読み取り動作を終了する。
【０１６４】
ステップＳ０７０で原稿搬送部Ｂ０１４は演算制御部Ｂ０１１の搬送速度Ｂ０１１ｂより得た「磁気読み取りに適合する搬送速度」を適用して原稿搬送速度として設定し、ステップＳ０７１に進んで逆方向の搬送を開始する。
【０１６５】
ステップＳ０７２で磁気読み取り部Ｂ０１７ａは所定の位置に調整された磁気読み取りユニット１４（図１を参照）により原稿１（図１を参照）に記載された磁気インク文字列２（図１を参照）を先に設定された読み取り速度（すなわち、前記の光学的読み取り速度より速い速度）で磁気的に読み取り、ステップＳ０７３に進んで読み取りを終了した原稿を排出路１５（図３を参照）を経由して装置外に排出する。
【０１６６】
図９は、この発明の代表的な別のひとつの実施例を適用した原稿搬送型画像読み取り装置の主要部を模式的に示したものである。
【０１６７】
すなわち原稿供給機構より提供を受けた原稿１は搬送ローラ２２ａおよび２２ｂによって順方向に搬送され、画像読み取りライン２３において光学的に読み取られた後、その先端をトラバースガイド２５に突き当てて停止する。
【０１６８】
前記のトラバースガイド２５に突き当てて停止した原稿１は、トラバースローラ２２ｃおよび２２ｄによってトラバース方向に搬送され、磁気読み取りユニット２４による磁気読み取りに供される。
【０１６９】
前記の磁気読み取りユニット２４は磁気読み取り位置調整機構２４ａを備え、当該磁気読み取りユニット２４とトラバースガイド２５との相対的距離を調整することで磁気読み取りユニット２４が磁気インク文字列を読み取る位置を設定する。なお前記の磁気読み取り位置調整機構２４ａは、磁気読み取りユニット２４またはトラバースガイド２５のいずれか一方の位置を調整するものである。
【０１７０】
前記のごとく、図９に示した構成による画像読み取り装置は、原稿を供給する方向に直交する方向に磁気インク文字列を配した帳票の磁気的読み取りに適した磁気インク文字データ読み取り機構を装備するものである。
【０１７１】
図１０に示すブロック図と、図１１に示すフローチャートに基づいて、前記の図９に示した構成を持つ画像読み取り装置で実施する制御を説明する。
【０１７２】
図１０に示すブロック図に基づいて、その構成要素の配置を説明する。
【０１７３】
画像読み取り装置Ｂ０２０に内蔵する演算制御部Ｂ０２１は、文字パターンＢ０２１ａおよび搬送速度Ｂ０２１ｂを備える。
【０１７４】
前記の文字パターンＢ０２１ａは磁気インク文字による個別の画像サンプルと磁気インク文字データによる個別の出力パターンサンプルとを格納する。
【０１７５】
前記の磁気インク文字による個別の画像サンプルは、磁気インク文字列を構成する個別の文字の形態を示すものであり、画像読み取り部Ｂ０２６が光学的に読み取った画像データより磁気インク文字列を検出する際に参照するサンプル画像データである。
【０１７６】
前記の個別の出力パターンサンプルは、磁気読み取り部Ｂ０２７ａが原稿から磁気的に読み取った出力値と参照して、前記の磁気読み取り部Ｂ０２７ａが読み取った出力値を数字データあるいは特定の符号データに変換するものである。
【０１７７】
前記の搬送速度Ｂ０２１ｂは、当該原稿搬送型画像読み取り装置が原稿を搬送する搬送速度を設定して格納するものであって、すなわち原稿搬送部Ｂ０２４ａを構成する搬送ローラ２２ａおよび２２ｂ（図９を参照）の回転駆動速度を規定する光学的読み取り搬送速度と、トラバース搬送部Ｂ０２４ｂを構成するトラバースローラ２２ｃおよび２２ｄ（図９を参照）の回転駆動速度を規定する磁気的読み取り搬送速度とを有している。
【０１７８】
原稿供給部Ｂ０２３は、当該原稿搬送型画像読み取り装置に原稿を供給する機構部である。
【０１７９】
原稿搬送部Ｂ０２４ａは、当該原稿搬送型画像読み取り装置に供給された原稿を装置内で順方向に搬送する機構部であって原稿の光学的読み取りに対応する。またトラバース搬送部Ｂ０２４ｂは、当該原稿搬送型画像読み取り装置で光学的に読み取られた原稿を装置内でトラバース方向に搬送する機構部であって原稿の磁気的読み取りに対応する。図９に示すごとく原稿搬送部Ｂ０２４ａは搬送ローラ２２ａおよび２２ｂを有し、トラバース搬送部Ｂ０２４ｂはトラバースローラ２２ｃおよび２２ｄを有する。
【０１８０】
読み取り位置設定部Ｂ０２７ｂは磁気読み取り部Ｂ０２７ａを構成する磁気読み取りユニット２４（図９を参照）を配する位置を制御するものであり、アジマス調整部Ｂ０２７ｃは前記の磁気読み取りユニット２４の読み取り方向を制御するものである。
【０１８１】
図１１に示すフローチャートに基づいて、磁気インク文字データ読み取りを伴なった画像読み取りを実行する際の制御の手順を説明する。制御の手順を示す各ステップの内容の説明に引用する符号は、前記の図１０に示すブロック図による。
【０１８２】
なおここで説明する読み取り動作は、当該画像読み取り装置Ｂ０２０において、画像読み取り部Ｂ０２６が光学的に読み取った画像データより検出した磁気インク文字列部分を、磁気読み取り部Ｂ０２７ａが磁気的に読み取る動作方式によるものである。
【０１８３】
ステップＳ１０１で、操作担当者は読み取りに供する原稿を当該画像読み取り装置Ｂ０２０の原稿供給部Ｂ０２３に載置する。
【０１８４】
ステップＳ１０２で、原稿搬送部Ｂ０２４ａは光学的画像読み取りに合わせた搬送速度パターンに基づいて原稿の搬送を開始する。前記の光学的画像読み取りに合わせた搬送速度は、演算制御部Ｂ０２１が搬送速度Ｂ０２１ｂより取り出して設定し、原稿搬送部Ｂ０２４ａに指示するものである。なおこの時点ではトラバース搬送部Ｂ２４ｂにおいてはトラバースローラ２２ｃおよび２２ｄを構成する駆動ローラと従動ローラとは押圧の状態に無く、両者は隙間を保っている。
【０１８５】
ステップＳ１０３で画像読み取り部Ｂ０２６は画像読み取りライン２３（図９を参照）を通過する原稿を光学的に読み取り、ステップＳ１０４に進んで前記の原稿の先端をトラバースガイド２５に突き当てて原稿の搬送を停止する。
【０１８６】
ステップＳ１０５で、演算制御部Ｂ０２１は画像読み取り部Ｂ０２６より提供を受けた画像データより磁気インク文字パターンによる文字列を検出する。前記の磁気インク文字パターンによる文字列は、文字パターンＢ０２１ａより提供を受けた文字パターンと比較照合して見出すものである。
【０１８７】
ステップＳ１０６で、前記の演算制御部Ｂ０２１が検出した磁気インク文字パターンによる文字列の配列する方向を検出する。
【０１８８】
ステップＳ１０７で前記の磁気インク文字パターンによる文字列の配列する方向が当該原稿の搬送方向に沿ったものであれば、ステップＳ１０８に進んで前記の演算制御部Ｂ０２１は読み取り位置設定部Ｂ０２７ｂに指示を発して磁気読み取り位置を指示するとともに、アジマス調整部Ｂ０２７ｃに磁気読み取りユニット１４（図９を参照）の読み取り方向にかかる調整を行なわせる。
【０１８９】
なお前記のステップＳ１０７で前記の磁気インク文字パターンによる文字列の配列する方向が当該原稿の搬送方向に沿ったものではないと判別された場合は、ステップＳ１１４に進んでアラームを発信するなどして磁気文字列が読み取り不能な方向にあることを表示し、当該読み取り動作を終了する。
【０１９０】
ステップＳ１０９でトラバース搬送部Ｂ０２４ｂはトラバースローラ２２ｃおよび２２ｄの駆動ローラと従動ローラとの相互の押圧を行なってトラバース搬送可能な状態とし、演算制御部Ｂ０２１の搬送速度Ｂ０２１ｂより得た「磁気読み取りに適合する搬送速度」を適用して原稿搬送速度として設定してトラバース搬送系を稼動状態にセットし、ステップＳ１１０に進んでトラバース方向の搬送を開始する。
【０１９１】
ステップＳ１１１で磁気読み取り部Ｂ０２７ａは所定の位置に調整された磁気読み取りユニット２４（図９を参照）により原稿１（図９を参照）に記載された磁気インク文字列２（図９を参照）を先に設定された読み取り速度（すなわち、前記の光学的読み取り速度より速い速度）で磁気的に読み取り、ステップＳ１１２に進んで読み取りを終了した原稿を装置外に排出する。
【０１９２】
図１２は、この発明の代表的な別のひとつの実施例を適用した原稿搬送型画像読み取り装置の主要部を模式的に示したものである。
【０１９３】
すなわち原稿供給機構より提供を受けた原稿１は搬送ローラ３２ａおよび３２ｂによって順方向に搬送され、画像読み取りライン３３において光学的に読み取られた後、その後端を搬送ローラ３２ｂが保持した状態で停止する。
【０１９４】
前記の原稿１に記載された磁気インク文字列２は、磁気読み取りガイド３６によりトラバース方向に搬送される磁気読み取りユニット３４が磁気的に読み取る。
【０１９５】
前記の磁気読み取りユニット３４は磁気読み取り位置調整機構３４ａを備え、当該磁気読み取りユニット３４と磁気読み取りガイド３５との相対的距離を調整する。なお前記の磁気読み取り位置調整機構３４ａは、磁気読み取りユニット３４またはトラバースガイド２５のいずれか一方の位置を調整するものであってもよい。
【０１９６】
前記のごとく、図１２に示した構成による画像読み取り装置は、原稿を供給する方向に直交する方向に磁気インク文字列を配した帳票の磁気的読み取りに適した磁気インク文字データ読み取り機構を装備するものである。
【０１９７】
図１３に示すブロック図と、図１４に示すフローチャートに基づいて、前記の図１２に示した構成を持つ画像読み取り装置で実施する制御を説明する。
【０１９８】
図１３に示すブロック図に基づいて、その構成要素の配置を説明する。
【０１９９】
画像読み取り装置Ｂ０３０に内蔵する演算制御部Ｂ０３１は、文字パターンＢ０３１ａおよび搬送速度Ｂ０３１ｂを備える。
【０２００】
前記の文字パターンＢ０３１ａは磁気インク文字による個別の画像サンプルと磁気インク文字データによる個別の出力パターンサンプルとを格納する。
【０２０１】
前記の磁気インク文字による個別の画像サンプルは、磁気インク文字列を構成する個別の文字の形態を示すものであり、画像読み取り部Ｂ０３６が光学的に読み取った画像データより磁気インク文字列を検出する際に参照するサンプル画像データである。
【０２０２】
前記の個別の出力パターンサンプルは、磁気読み取り部Ｂ０３７ａが原稿から磁気的に読み取った出力値と参照して、前記の磁気読み取り部Ｂ０３７ａが読み取った出力値を数字データあるいは特定の符号データに変換するものである。
【０２０３】
前記の搬送速度Ｂ０３１ｂは、当該原稿搬送型画像読み取り装置が原稿を搬送する搬送速度を設定して格納するものであって、すなわち原稿搬送部Ｂ０３４ａを構成する搬送ローラ３２ａおよび３２ｂ（図９を参照）の回転駆動速度を規定する光学的読み取り搬送速度と、磁気読み取り部Ｂ０３７ａを構成する磁気読み取りユニット（図９を参照）を磁気読み取りガイド３６（図９を参照）に沿って移動させる駆動速度を規定する磁気的読み取り速度とを有している。
【０２０４】
原稿供給部Ｂ０３３は、当該原稿搬送型画像読み取り装置に原稿を供給する機構部である。
【０２０５】
読み取り位置設定部Ｂ０２７ｂは磁気読み取り部Ｂ０３７ａを構成する磁気読み取りユニット３４（図９を参照）を配する位置を制御するものであり、アジマス調整部Ｂ０３７ｃは前記の磁気読み取りユニット３４の読み取り方向を制御するものである。
【０２０６】
図１４に示すフローチャートに基づいて、磁気インク文字データ読み取りを伴なった画像読み取りを実行する際の制御の手順を説明する。制御の手順を示す各ステップの内容の説明に引用する符号は、前記の図１３に示すブロック図による。
【０２０７】
なおここで説明する読み取り動作は、当該画像読み取り装置Ｂ０３０において、画像読み取り部Ｂ０３６が光学的に読み取った画像データより検出した磁気インク文字列部分を、磁気読み取り部Ｂ０３７ａが磁気的に読み取る動作方式によるものである。
【０２０８】
ステップＳ１２１で、操作担当者は読み取りに供する原稿を当該画像読み取り装置Ｂ０３０の原稿供給部Ｂ０３３に載置する。
【０２０９】
ステップＳ１２２で、原稿搬送部Ｂ０３４ａは光学的画像読み取りに合わせた搬送速度パターンに基づいて原稿の搬送を開始する。前記の光学的画像読み取りに合わせた搬送速度は、演算制御部Ｂ０３１が搬送速度Ｂ０３１ｂより取り出して設定し、原稿搬送部Ｂ０３４ａに指示するものである。
【０２１０】
ステップＳ１２３で画像読み取り部Ｂ０３６は画像読み取りライン３３（図１２を参照）を通過する原稿を光学的に読み取り、ステップＳ１２４に進んで演算制御部Ｂ０３１は画像読み取り部Ｂ０３６より提供を受けた画像データより磁気インク文字パターンによる文字列を検出する。前記の磁気インク文字パターンによる文字列は、文字パターンＢ０３１ａより提供を受けた文字パターンと比較照合して見出すものである。
【０２１１】
ステップＳ１２５で、演算制御部Ｂ０３１は前記の検出した磁気インク文字パターンによる文字列の配列する方向を検出する。
【０２１２】
ステップＳ１２６で前記の磁気インク文字パターンによる文字列の配列する方向が当該原稿の搬送方向に沿ったものであれば、ステップＳ１２７に進んで前記の演算制御部Ｂ０３１は読み取り位置設定部Ｂ０３７ｂに指示を発して磁気読み取り位置を指示するとともに、アジマス調整部Ｂ０３７ｃに磁気読み取りユニット３４（図１２を参照）の読み取り方向にかかる調整を行なわせるとともに、順方向における原稿の適正な停止位置を算出する。
【０２１３】
なお前記のステップＳ１２６で前記の磁気インク文字パターンによる文字列の配列する方向が当該原稿の搬送方向に沿ったものではないと判別された場合は、ステップＳ１３２に進んでアラームを発信して磁気文字列が読み取り不能な方向にあることを表示し、さらにステップＳ１３３に進んで原稿搬送を停止して当該読み取り動作を終了する。
【０２１４】
ステップＳ１２８で原稿搬送部Ｂ０３４は所定に位置で原稿の搬送を停止し、ステップＳ１２９に進んでアジマス調整部Ｂ０３７ｃは磁気読み取り部Ｂ０３７ａを構成する磁気読み取りユニット（図１２を参照）の読み取り方向を調整する。
【０２１５】
ステップＳ１３０でトラバース読み取り部Ｂ０３７ｄは磁気読み取りユニット３４（図１２を参照）を磁気読み取りガイド３６（図１２を参照）に沿って移動させ、磁気読み取りを開始する。前記の磁気読み取りユニットを移動させる速度は、演算制御部Ｂ０３１の搬送速度Ｂ０３１ｂより得た「磁気読み取りに適合する搬送速度」（すなわち、前記の光学的読み取り速度より速い速度）を適用する。
【０２１６】
ステップＳ１３１で、読み取りを終了した原稿を装置外に排出する。
【０２１７】
図１５は、この発明の代表的なひとつの実施例を適用したフラットベッド型画像読み取り装置の主要部を模式的に示したものである。
【０２１８】
すなわちフラットベッド型画像読み取り装置であって磁気インク文字データ読み取り機構を備えた画像読み取り装置４０は、その内蔵するガイドレール４１ａ、４１ｂに沿って副走査方向に移動し、原稿載置ガラス４０ａに載置する原稿を光学的に読み取る画像読み取り部４３を有する。
【０２１９】
また前記の画像読み取り装置４０は前記のガイドレール４１ａ、４１ｂに沿って副走査方向に移動し、前記の原稿に記載する磁気インク文字データを磁気的に読み取る磁気読み取り部４４を有する。
【０２２０】
前記の磁気読み取り部４４は、その内部に、当該磁気読み取り部４４の移動方向に直交する方向（トラバース方向）に移動可能な磁気読み取りユニット４４を持つ。さらに前記の磁気読み取りユニットは前記の原稿載置ガラスに平行な面上でその読み取りの方向を設定自在に係止する。
【０２２１】
なお前記の画像読み取り部４３と磁気読み取り部４４とを一体の構造としてもよいが、ここでは動作原理の説明の便宜を図るために画像読み取り部４３と磁気読み取り部４４とを互いに独立した別個の構造物であるという条件のもとで説明する。
【０２２２】
図１６に示すブロック図と、図１７に示すフローチャートに基づいて、前記の図１５に示した構成を持つ画像読み取り装置で実施する制御を説明する。
【０２２３】
図１６に示すブロック図に基づいて、その構成要素の配置を説明する。
【０２２４】
画像読み取り装置Ｂ０４０に内蔵する演算制御部Ｂ０４１は、文字パターンＢ０４１ａおよび移動速度Ｂ０４１ｂを備える。
【０２２５】
前記の文字パターンＢ０４１ａは磁気インク文字による個別の画像サンプルと磁気インク文字データによる個別の出力パターンサンプルとを格納する。
【０２２６】
前記の磁気インク文字による個別の画像サンプルは、磁気インク文字列を構成する個別の文字の形態を示すものであり、画像読み取り部Ｂ０４６ａが光学的に読み取った画像データより磁気インク文字列を検出する際に参照するサンプル画像データである。
【０２２７】
前記の個別の出力パターンサンプルは、磁気読み取り部Ｂ０４７ａが原稿から磁気的に読み取った出力値と参照して、前記の磁気読み取り部Ｂ０４７ａが読み取った出力値を数字データあるいは特定の符号データに変換するものである。
【０２２８】
前記の移動速度Ｂ０４１ｂは、前記の図１５に示す画像読み取り部Ｂ４３を移動させる速度値と、磁気読み取り部４４を移動させる速度値と、前記の磁気読み取り部４４の中で磁気読み取りユニット４４ａを移動させる速度値とを格納する。
【０２２９】
前記の画像読み取り部Ｂ４３を移動させる速度値は、独立した速度値であり、原稿を光学的に読み取る速度である。
【０２３０】
また磁気読み取り部４４を移動させる速度値と前記の磁気読み取り部４４の中で磁気読み取りユニット４４ａを移動させる速度値とは、互いに直交する方向において関連する速度値であり、そのベクトル和が原稿に記載する文字列をその傾斜する方向に沿って磁気的に読み取る速度（すなわち、前記の光学的読み取り速度より速い速度）である。
【０２３１】
したがって、前記の移動速度Ｂ０４１ｂに格納する、磁気読み取り部４４を移動させる速度値および前記の磁気読み取り部４４の中で磁気読み取りユニット４４ａを移動させる速度値は、ひとつの値、すなわち画面における磁気インク文字列の傾き値を与えることによって一対のデータとして一意的に提示される。
【０２３２】
画像読み取り部Ｂ０４６ａは、読み取りの対象とする原稿を光学的に読み取り、その読み取り画像データを演算制御部Ｂ０４１に提供する。
【０２３３】
画像読み取り移動部Ｂ０４６ｂは、前記の移動速度Ｂ０４１ｂより速度値を得て、画像読み取り部Ｂ０４６ａを副走査方向に移動させる。
【０２３４】
磁気読み取り部Ｂ０４７ａは、読み取りの対象とする原稿に記載する磁気インク文字列を磁気的によみとり、その読み取り画像データを演算制御部Ｂ０４１に提供する。
【０２３５】
磁気読み取り移動部Ｂ０４７ｂは、前記の移動速度Ｂ０４１ｂより速度値を得て、磁気読み取り部Ｂ０４７ａを副走査方向に移動させる。
【０２３６】
トラバース移動部Ｂ０４７ｃは、前記の移動速度Ｂ０４１ｂより速度値を得て、磁気読み取り部Ｂ０４７ａに備える磁気読み取りユニットをトラバース方向に移動させる。
【０２３７】
読み取り方向設定部Ｂ０４７ｄは、演算制御部Ｂ０４１より画面における磁気インク文字列の傾き値を得て、前記の磁気読み取りユニットの向きを設定する。
【０２３８】
図１７に示すフローチャートに基づいて、磁気インク文字データ読み取りを伴なった画像読み取りを実行する際の制御の手順を説明する。制御の手順を示す各ステップの内容の説明に引用する符号は、前記の図１６に示すブロック図による。
【０２３９】
なおここで説明する読み取り動作は、当該画像読み取り装置Ｂ０４０において、画像読み取り部Ｂ０４６が光学的に読み取った画像データより検出した磁気インク文字列部分を、磁気読み取り部Ｂ０４７ａが磁気的に読み取る動作方式によるものである。
【０２４０】
ステップＳ２０１で操作担当者は読み取りに供する原稿を当該画像読み取り装置Ｂ０４０の原稿載置ガラス上に載置し、ステップＳ２０２に進んで読み取りを指示する。
【０２４１】
ステップＳ２０３で、画像読み取り移動部Ｂ０４６ｂは移動速度Ｂ０４１ｂより提示された速度により画像読み取り部Ｂ０４６ａを副走査方向に移動せしめ、前記の画像読み取り部Ｂ０４６ａは前記の原稿を光学的に読み取った出力データを演算制御部Ｂ０４１に転送する。
【０２４２】
ステップＳ２０４で演算制御部Ｂ０４１は前記の画像読み取り部Ｂ０４６ａより提示された出力データをもとに画像データを形成し、ステップＳ２０５に進んで文字パターンＢ０４１ａより引き出したサンプル画像データと照合して当該原稿画像より磁気インク文字列の所在する領域を特定し、さらにステップＳ２０６に進んで当該磁気インク文字列の傾き（勾配）値を算出する。
【０２４３】
ステップＳ２０７で読み取り方向指定部Ｂ０４７ｄは前記の演算制御部Ｂ０４１が算出した磁気インク文字列の傾き（勾配）値に合わせて磁気読み取りユニットの読み取り方向を設定し、ステップＳ２０８に進んで磁気読み取り移動部Ｂ０４７ｂおよびトラバース移動部Ｂ０４７ｃはそれぞれに移動速度Ｂ０４１ｂが磁気インク文字列の傾き（勾配）値に対応して設定した速度値を移動速度成分として設定する。
【０２４４】
ステップＳ２０９で、磁気読み取り部Ｂ０４７ａは所定の読み取り移動速度に基づいて磁気インク文字列を磁気的に読み取り、前記の磁気読み取り動作により生成された読み取りデータを演算制御部Ｂ０４１に転送する。
【０２４５】
【発明の効果】
この発明により、以下に示すような効果が期待できる。
【０２４６】
原稿搬送型画像読み取り装置であって、磁気インク文字データ読み取り機構を備えた画像読み取り装置において、供給された原稿を光学的に読み取って磁気インクによる文字列を検出して前記の磁気インクによる文字列が当該原稿の搬送方向に沿って配列していることを確認する手段と、前記の原稿の搬送方向に沿って配列している磁気インクによる文字列を、磁気インク文字データ読み取り機構が原稿の搬送方向に沿って磁気的に読み取るべくその磁気読み取り部を前記の磁気インクによる文字列の所在する位置に設定させる手段とを備える。
【０２４７】
この手段を取ることによって、当該画像読み取り装置は光学的画像データより磁気インクによる文字列を検出し、磁気読み取り部を前記の磁気インクによる文字列の所在する位置に対応させる機構を装備するという効果を得る。
【０２４８】
原稿搬送型画像読み取り装置であって、磁気インク文字データ読み取り機構を備えた画像読み取り装置の制御方法において、供給された原稿を順方向に搬送して、前記の原稿を光学的に画像読み取りを行なうとともに磁気インクによる文字列を検出して前記の文字列が当該原稿の搬送方向に沿って配列していることを確認し、前記の検出された磁気インクによる文字列の所在する位置に磁気インク文字データ読み取り機構の磁気読み取り部を配し、搬送をいったん停止させた前記の原稿を逆方向に搬送した後に、再度、原稿を逆方向に搬送させて再び停止し、前記の原稿を磁気インク文字データの磁気的読み取りに対応した搬送速度をもって順方向に搬送して、当該磁気インク文字データ読み取り機構が前記の磁気インクによる文字列を磁気的に読み取る。
【０２４９】
この手段を取ることによって、当該画像読み取り装置は原稿に記載された画像を適正な速度に設定した読み取り速度により読み取る制御の手順とともに、いったん後退させた原稿より改めて磁気インク文字列を適正な速度に設定した読み取り速度により読み取る制御の手順とを装備することで、装置の容積を拡大を伴なわずに複合した動作を行なうという効果を得る。
【０２５０】
原稿搬送型画像読み取り装置であって、磁気インク文字データ読み取り機構を備えた画像読み取り装置の制御方法において、供給された原稿を順方向に搬送して、前記の原稿を光学的に画像読み取りを行なうとともに磁気インクによる文字列を検出して前記の文字列が当該原稿の搬送方向に沿って配列していることを確認し、前記の検出された磁気インクによる文字列所在する位置に磁気インク文字データ読み取り機構の磁気読み取り部を配し、搬送をいったん停止させた前記の原稿を磁気インク文字データの磁気的読み取りに対応した搬送速度をもって逆方向に搬送して、当該磁気インク文字データ読み取り機構が前記の磁気インクによる文字列を磁気的に読み取る。
【０２５１】
この手段を取ることによって、当該画像読み取り装置は原稿に記載された画像を適正な順方向の速度に設定した読み取り速度により読み取る制御の手順とともに、前記の原稿より改めて磁気インク文字列を適正な速度に設定した逆方向の読み取り速度により読み取る制御の手順とを装備することで、装置の容積を拡大を伴なわずに複合した動作を行なうという効果を得る。
【０２５２】
原稿搬送型画像読み取り装置であって、磁気インク文字データ読み取り機構を備えた画像読み取り装置において、供給された原稿を光学的に読み取って磁気インクによる文字列を検出して前記の文字列が当該原稿の搬送方向に直交して配列していることを確認する手段と、前記の原稿の搬送方向に直交して配列している磁気インクによる文字列を、磁気インク文字データ読み取り機構が原稿供給時の搬送方向に直交する方向に沿って磁気的に読み取る手段とを備える。
【０２５３】
この手段を取ることによって、当該画像読み取り装置は光学的画像データより検出した、トラバース方向に配列する磁気インクによる文字列に磁気読み取り部を対応させる機構を装備するという効果を得る。
【０２５４】
前記の原稿搬送型画像読み取り装置において、前記の磁気インク文字データ読み取り機構は、読み取りの対象とする原稿を原稿供給時の搬送方向に直交する方向に搬送して磁気読み取りに供するトラバースローラを備える。
【０２５５】
この手段を取ることによって、当該画像読み取り装置は光学的画像データより検出した磁気インクによる文字列に対応させて磁気読み取り部を対応させ、前記の原稿をトラバース方向に搬送させて適正な速度により前記の文字列をトラバース方向に磁気的に読み取る機構を装備するという効果を得る。
【０２５６】
前記の原稿搬送型画像読み取り装置において、前記の磁気インク文字データ読み取り機構は、当該磁気インク文字データ読み取り機構を原稿供給時の搬送方向に直交する方向に移動せしめる手段を備える。
【０２５７】
この手段を取ることによって、当該画像読み取り装置は光学的画像データより検出した磁気インクによる文字列に対応させて磁気読み取り部を対応させ、前記の磁気読み取り部をトラバース方向に移動させて適正な速度により前記の文字列を磁気的に読み取る機構を装備するという効果を得る。
【０２５８】
原稿搬送型画像読み取り装置であって、磁気インク文字データ読み取り機構を備えた画像読み取り装置の制御方法において、供給された原稿を順方向に搬送して、前記の原稿を光学的に画像読み取りを行なうとともに磁気インクによる文字列を検出して前記の文字列が当該原稿の搬送方向に直交して配列していることを確認し、搬送をいったん停止させた前記の原稿を磁気インク文字データの磁気的読み取りに対応した搬送速度をもって原稿供給時の搬送方向に直交する方向に搬送して、当該磁気インク文字データ読み取り機構が磁気的に前記の磁気インクによる文字列を読み取る。
【０２５９】
この手段を取ることによって、当該画像読み取り装置は原稿に記載された画像を適正な順方向の速度に設定した読み取り速度により読み取る制御の手順とともに、前記の原稿をトラバース方向に搬送して磁気インク文字列を適正な速度により読み取る制御の手順とを装備するという効果を得る。
【０２６０】
原稿搬送型画像読み取り装置であって、磁気インク文字データ読み取り機構を備えた画像読み取り装置の制御方法において、供給された原稿を順方向に搬送して、前記の原稿を光学的に画像読み取りを行なうとともに磁気インクによる文字列を検出して前記の文字列が当該原稿の搬送方向に直交して配列していることを確認し、いったん停止した前記の原稿に対し、磁気インク文字データ読み取り機構を磁気インク文字データの磁気的読み取りに対応した移動速度をもって原稿供給時の搬送方向に直交する方向に移動させ、当該磁気インク文字データ読み取り機構が前記の磁気インクによる文字列を磁気的に読み取る。
【０２６１】
この手段を取ることによって、当該画像読み取り装置は原稿に記載された画像を適正な順方向の速度に設定した読み取り速度により読み取る制御の手順とともに、停止させた前記の原稿に沿って磁気読み取り部をトラバース方向に読み取り移動させて磁気インク文字列を適正な速度により読み取る制御の手順とを装備するという効果を得る。
【０２６２】
フラットベッド型画像読み取り装置であって、磁気インク文字データ読み取り機構を備えた画像読み取り装置において、原稿を光学的に読み取る画像読み取り機構により、載置された原稿の読み取り面を光学的に読み取って磁気インクによる文字列の所在およびその配列の方向を検出する手段を備え、磁気インク文字データ読み取り機構が、その読み取り部を載置された原稿の読み取り面に対向して平行な面上を直行する２方向に沿って移動させる手段を備える。
【０２６３】
この手段を取ることによって、当該画像読み取り装置は光学的画像データより検出した磁気インクによる文字列に対応させて磁気読み取り部を対応させ、前記の磁気読み取り部を読み取りの対象とする原稿に平行な面上において順方向およびトラバース方向に移動させて適正な速度により前記の文字列を磁気的に読み取る機構を装備するという効果を得る。
【０２６４】
前記の画像読み取り装置において、前記の磁気インク文字データ読み取り機構は、その磁気読み取り部の読み取り方向を変更させる手段を備える。
【０２６５】
この手段を取ることによって、当該画像読み取り装置は光学的画像データより検出した磁気インクによる文字列に対応させて磁気読み取り部の読み取り方向を設定する機構を装備するという効果を得る。
【０２６６】
フラットベッド型画像読み取り装置であって、磁気インク文字データ読み取り機構を備えた画像読み取り装置の制御方法において、原稿を光学的に読み取る画像読み取り機構が載置された原稿の読み取り面を光学的に読み取って、磁気インクによる文字列の所在およびその配列の方向を検出し、磁気インク文字データ読み取り機構の磁気読み取り部はその読み取り方向を前記の原稿の磁気インクによる文字列の配列の方向に合わせて設定し、次いで原稿の読み取り面に対向して平行な面上を直行する２方向に沿って移動して、前記の磁気インクによる文字列を磁気的に読み取る。
【０２６７】
この手段を取ることによって、当該画像読み取り装置は載置した原稿に記載された画像を適正な順方向の速度に設定した読み取り速度により読み取る制御の手順とともに、前記の磁気インク文字データ読み取り機構を前記の原稿に記載された磁気インク文字列に沿って移動させて適正な速度により読み取る制御の手順とを装備するという効果を得る。
【図面の簡単な説明】
【図１】この発明の代表的な実施例による原理説明図。
【図２】この発明の代表的な実施例による原理説明図。
【図３】この発明の代表的な実施例による原理説明図。
【図４】この発明の代表的な実施例によるブロック図。
【図５】この発明の代表的な実施例によるフローチャート。
【図６】この発明の代表的な実施例によるフローチャート。
【図７】この発明の代表的な実施例によるフローチャート。
【図８】この発明の代表的な実施例によるフローチャート。
【図９】この発明の代表的な実施例による原理説明図。
【図１０】この発明の代表的な実施例によるブロック図。
【図１１】この発明の代表的な実施例によるフローチャート。
【図１２】この発明の代表的な実施例による原理説明図。
【図１３】この発明の代表的な実施例によるブロック図。
【図１４】この発明の代表的な実施例によるフローチャート。
【図１５】この発明の代表的な実施例による原理説明図。
【図１６】この発明の代表的な実施例によるブロック図。
【図１７】この発明の代表的な実施例によるフローチャート。
【図１８】従来の技術による原理説明図。
【図１９】従来の技術によるブロック図。
【図２０】従来の技術によるフローチャート。
【符号の説明】
１：原稿
２：磁気インク文字列
１０：画像読み取り装置
１１ａ、１１ｂ：原稿ガイド
１２ａ、１２ｂ、１２ｃ：搬送ローラ
１３：画像読み取りライン
１３ａ：画像読み取りユニット
１４：磁気読み取りユニット
１４ａ：磁気読み取り位置設定機構
１５：排出路
２２ａ、２２ｂ：搬送ローラ
２２ｃ、２２ｄ：トラバースローラ
２３：画像読み取りライン
２４：磁気読み取りユニット
２４ａ：磁気読み取り位置設定機構
２５：トラバースガイド
３２ａ、３２ｂ：搬送ローラ
３３：画像読み取りライン
３４：磁気読み取りユニット
３４ａ：磁気読み取り位置設定機構
３６：磁気読み取りガイド
４０：画像読み取り装置
４０ａ：原稿載置ガラス
４１ａ、４１ｂ：ガイドローラ
４３：画像読み取り部
４４：磁気読み取り部
４４ａ：磁気読み取りユニット
【図１】
2004110612.tif 000003
【図２】
2004110612.tif 000004
【図３】
2004110612.tif 000005
【図４】
2004110612.tif 000006
【図５】
2004110612.tif 000007
【図６】
2004110612.tif 000008
【図７】
2004110612.tif 000009
【図８】
2004110612.tif 000010
【図９】
2004110612.tif 000011
【図１０】
2004110612.tif 000012
【図１１】
2004110612.tif 000013
【図１２】
2004110612.tif 000014
【図１３】
2004110612.tif 000015
【図１４】
2004110612.tif 000016
【図１５】
2004110612.tif 000017
【図１６】
2004110612.tif 000018
【図１７】
2004110612.tif 000019
【図１８】
2004110612.tif 000020
【図１９】
2004110612.tif 000021
【図２０】
2004110612.tif 000022